(57)【特許請求の範囲】
【請求項１】
引戸本体を収納する戸袋が下地部材に外面形成部材を取り付けることにより形成されている引戸装置において、
前記下地部材は金属板の折り曲げで形成され、この下地部材は、前記戸袋の幅方向となっている前記引戸本体の移動方向に細長くなっている細長状部材となっているとともに、前記戸袋の幅方向両端部まで達する長さを有しており、
前記下地部材に前記外面形成部材を受けるための受け部が設けられ、
この受け部は前記外面形成部材を載せるための載せ部であり、前記下地部材には、この下地部材に前記戸袋の外側へ屈曲突出した屈曲突出部が形成されていることにより、この屈曲突出部の上部が前記戸袋の内外方向を幅方向とする屈曲部となっており、この屈曲部の上面が前記外面形成部材を載せるための前記載せ部になっており、
前記屈曲部における前記戸袋の内側の端部に上方へ延びるフランジ部が形成され、このフランジ部における前記戸袋の外側の面に前記外面形成部材が固定され、この固定は、前記フランジ部における前記戸袋の外側の面に予め取り付けられている両面粘着テープによって行われ、
前記屈曲突出部と前記屈曲部と前記フランジ部は、前記下地部材の全長に渡って形成されていることを特徴とする引戸装置。
【請求項２】
請求項１に記載の引戸装置において、前記屈曲部は第１屈曲部であって前記フランジ部は第１フランジ部であり、前記外面形成部材は第１外面形成部材であり、
前記下地部材に形成されている前記屈曲突出部の下部は、前記戸袋の内外方向を幅方向とする第２屈曲部となっており、この第２屈曲部の前記戸袋の内側の端部に下方へ延びる第２フランジ部が形成されており、この第２フランジ部における前記戸袋の外側の面に第２外面形成部材が固定され、この固定は、前記第２フランジ部における前記戸袋の外側の面に予め取り付けられている両面粘着テープによって行われていることを特徴とする引戸装置。
【請求項３】
請求項２に記載の引戸装置において、前記第２屈曲部及び前記第２フランジ部も前記下地部材の全長に渡って形成されていることを特徴とする引戸装置。
【請求項４】
請求項１〜３のいずれかに記載の引戸装置において、前記下地部材は上下方向に間隔を開けて複数設けられているとともに、これらの下地部材には上下寸法が異なるものが含まれていることを特徴とする引戸装置。
【請求項５】
請求項１〜４のいずれかに記載の引戸装置において、前記戸袋の引戸本体閉じ側端部の見切り材となっている竪額縁には、引戸本体開き側へ延びる延出部が設けられているとともに、前記竪額縁には、前記戸袋の内外方向への間隔を開けて前記延出部と平行に引戸本体開き側へ延びる延出部を備えている補助部材が取り付けられ、前記竪額縁の前記延出部と前記補助部材の前記延出部との間に前記下地部材における引戸本体閉じ側の端部が挿入され、この端部が、前記下地部材の前記屈曲突出部において、止着具により前記補助部材の前記延出部に結合されていることを特徴とする引戸装置。
【請求項６】
請求項１〜５のいずれかに記載の引戸装置において、前記戸袋の終端部は引戸本体戸尻側の縦枠により形成され、前記下地部材における引戸本体開き側の端部が、前記下地部材の前記フランジ部において、止着具により前記縦枠に結合されていることを特徴とする引戸装置。
【請求項７】
請求項１〜３，５，６のいずれかに記載の引戸装置において、前記下地部材は第１下地部材であり、この第１下地部材の上方に間隔を開けて第２下地部材が配置され、この第２下地部材の下部は下方へ延びるフランジ部となっており、このフランジ部における前記戸袋の外側の面にも、第１下地部材と第２下地部材との間に配置された前記外面形成部材が固定され、この固定は、前記第２下地部材の前記フランジ部における前記戸袋の外側の面に予め取り付けられている両面粘着テープによって行われていることを特徴とする引戸装置。
【請求項８】
請求項１〜７のいずれかに記載の引戸装置において、前記フランジ部に前記外面形成部材が前記両面粘着テープによって固定される前のこの両面粘着テープの表面には剥離紙が設けられ、前記フランジ部における前記戸袋の外側の面に前記外面形成部材が前記両面粘着テープによって固定されるときには、前記剥離紙が剥がされていることを特徴とする引戸装置。
【請求項９】
請求項１〜８のいずれかに記載の引戸装置において、前記外面形成部材は内側外面形成部材であり、この内側外面形成部材の外側に外側外面形成部材が配置され、この外側外面形成部材は、前記内側外面形成部材と前記下地部材の両方を覆う大きさを有していることを特徴とする引戸装置。
【請求項１０】
引戸本体を収納する戸袋を下地部材に外面形成部材を取り付けることにより形成する引戸装置の施工方法において、
前記下地部材は金属板の折り曲げで形成され、この下地部材は、前記戸袋の幅方向となっている前記引戸本体の移動方向に細長くなっている細長状部材となっているとともに、前記戸袋の幅方向両端部まで達する長さを有しており、
前記下地部材に前記外面形成部材を受けるための受け部が設けられ、この受け部は前記外面形成部材を載せるための載せ部であり、前記下地部材には、この下地部材に前記戸袋の外側へ屈曲突出した屈曲突出部が形成されていることにより、この屈曲突出部の上部が前記戸袋の内外方向を幅方向とする屈曲部となっており、この屈曲部の上面が前記外面形成部材を載せるための前記載せ部になっているとともに、前記屈曲部における前記戸袋の内側の端部に上方へ延びるフランジ部が形成され、
前記屈曲突出部と前記屈曲部と前記フランジ部は、前記下地部材の全長に渡って形成されており、
前記載せ部に前記外面形成部材を載せ、この後、前記フランジ部における前記戸袋の外側の面に、このフランジ部における前記戸袋の外側の面に予め取り付けられている両面粘着テープによって前記外面形成部材を固定することを特徴とする引戸装置の施工方法。
【請求項１１】
請求項１０に記載の引戸装置の施工方法において、前記フランジ部における前記戸袋の外側の面に前記両面粘着テープによって前記外面形成部材を固定する前における前記両面粘着テープの表面には、剥離紙を設けておき、この剥離紙を剥がした後に、前記フランジ部における前記戸袋の外側の面に前記外面形成部材を前記両面粘着テープによって固定することを特徴とする引戸装置の施工方法。
【発明の詳細な説明】
【０００１】
【発明の属する技術分野】
本発明は、引戸本体を収納する戸袋を有する引戸装置に係り、例えば、引戸本体が上方に配置されたガイド部材に吊り下げられて移動する上吊り式の引戸装置等に利用できるものである。
【０００２】
【背景技術】
建物内の部屋と廊下の間あるいは部屋同士の間等を仕切るために上吊り式の引戸装置が用いられ、この上吊り式の引戸装置では、外枠組みの一部を形成している上方の無目の内部にガイドレール等のガイド部材が配置され、このガイド部材から引戸本体が吊り下げられている。引戸本体がガイド部材に案内されて移動することにより、出入口等の開口部が開閉され、開口部を開いた引戸本体は戸袋の内部に収納される。
【０００３】
この戸袋は、下地部材と、この下地部材に取り付けられた外面形成部材で形成されており、壁の内部に設けられるタイプの戸袋では、外面形成部材は壁の外面と同じ石膏ボード製となっており、外面形成部材は下地部材にステープル等の止着具で固定されている。
【０００４】
【発明が解決しようとする課題】
従来、戸袋の外面形成部材を下地部材にステープル等の止着具で取り付けるときは、作業者が外面形成部材を保持していなければならなかった。このため、外面形成部材の取付作業を行うために複数の作業者が必要になるなど、作業に手間と時間がかかり、作業効率を向上させることが困難であった。
【０００５】
本発明の目的は、戸袋を形成する外面形成部材を下地部材に取り付けるための作業を容易に行え、作業効率の向上を図ることができるようになる引戸装置を提供するところにある。
【０００６】
【課題を解決するための手段】
本発明に係る引戸装置は、引戸本体を収納する戸袋が下地部材に外面形成部材を取り付けることにより形成されている引戸装置において、前記下地部材に前記外面形成部材を受けるための受け部が設けられていることを特徴とするものである。
【０００７】
この引戸装置では、下地部材に外面形成部材を受けるための受け部が設けられているため、外面形成部材を下地部材に取り付ける作業を行うときは、先ず外面形成部材をこの受け部で受けさせ、この後、外面形成部材を下地部材に取り付ける作業を行う。
【０００８】
そして、本発明に係る引戸装置の施工方法は、引戸本体を収納する戸袋を下地部材に外面形成部材を取り付けることにより形成する引戸装置の施工方法において、前記外面形成部材を前記下地部材に設けられている受け部に受けさせ、この後、前記外面形成部材を前記下地部材に取り付けることを特徴とするものである。
【０００９】
本発明によると、外面形成部材を下地部材の受け部に一旦受けさせてから、下地部材に外面形成部材を取り付ける作業を行えるため、外面形成部材を保持しながら下地部材へ外面形成部材を取り付ける作業を行う必要がなくなる。このため、作業を容易に行え、作業効率が向上し、例えば、一人の作業者でも作業を実施することが可能になる。
【００１０】
下地部材に設ける受け部は、外面形成部材を受けさせることができるものであれば任意な形態で受けさせるものでよく、例えば、外面形成部材を載せるための載せ部でもよく、外面形成部材を係止しておく係止部でもよく、外面形成部材を係合しておく係合部でもよく、外面形成部材を掛け止めしておく掛け止め部でもよく、その形状及び構造も任意である。
【００１１】
下地部材に設ける受け部を外面形成部材を載せるための載せ部とする場合の一例は、下地部材に戸袋の外側と内側のうちの少なくとも一方へ屈曲しかつ横方向に延びる屈曲部を形成し、この屈曲部の上面を外面形成部材を載せるための載せ部とすることである。
【００１２】
これによると、下地部材は屈曲部付き部材となるため、それだけ下地部材の強度が大きくなり、戸袋の骨組みを形成していて外面形成部材が取り付けられる下地部材に必要とされる強度を与えることができる。
【００１３】
下地部材に設ける屈曲部の個数は、例えば、下地部材の大きさに応じて、１個だけでもよく、上下方向や横方向に分離した複数個でもよい。下地部材に上下方向や横方向に分離した複数個の屈曲部を設ける場合には、それぞれの屈曲部の上面に外面形成部材を載せてもよく、所定の屈曲部の上面だけに外面形成部材を載せ、他の屈曲部の上面には外面形成部材を載せないようにしてもよい。
【００１４】
また、下地部材に外面形成部材を取り付けるための下地部材の形状的手段は任意であり、その一例は、上面が外面形成部材を載せる載せ部となっている屈曲部の上部を上方へ延びるフランジ部とし、このフランジ部に外面形成部材を固定することである。
【００１５】
これによると、下地部材に、外面形成部材を載せるための部分と外面形成部材を固定するための部分とを下地部材の形状設定で有効に設けることができるようになる。
【００１６】
屈曲部の上部に設けられたフランジ部に外面形成部材を固定するための固定手段は、両面粘着テープでもよく、ステープルやビス、リベット、ボルト等の止着具でもよく、接着、溶接、嵌合、係合、係止、引っ掛け、マグネット吸着、真空吸着等によるものでもよい。
【００１７】
以上において、下地部材は、横方向又は上下方向等を長さ方向とする細長状部材でもよく、あるいは、戸袋の外面全体又は外面略全体と対応した大きさを有する大面積部材でもよい。下地部材が横方向を長さ方向とする細長状部材である場合には、その下地部材には無目、幅木等が含まれ、また、下地部材が上下方向を長さ方向とする細長状部材である場合には、その下地部材には竪額縁、縦枠等が含まれる。
【００１８】
下地部材を横方向を長さ方向とする細長状部材とした場合には、第１下地部材であるこの下地部材の上方に間隔を開けて第２下地部材を配置し、この第２下地部材の下部を下方へ延びるフランジ部とし、このフランジ部に、第１下地部材と第２下地部材との間に配置された外面形成部材を固定するようにしてもよい。
【００１９】
この場合において、第２下地部材のフランジ部に外面形成部材を固定するための固定手段は、両面粘着テープでもよく、ステープルやビス、リベット、ボルト等の止着具でもよく、接着、溶接、嵌合、係合、係止、引っ掛け、マグネット吸着、真空吸着等によるものでもよい。
【００２０】
また、第２下地部材は、戸袋の外側と内側のうちの少なくとも一方へ屈曲しかつ横方向に延びる屈曲部を有する屈曲部付き部材としてもよく、屈曲部を有しない平面状部材でもよい。
【００２１】
第１下地部材と第２下地部材のうちの少なくとも一方を屈曲部付き部材とする場合には、その下地部材は、アングル材、チャンネル材（リップ付きとリップ無しの両方を含む）、Ｉ型材、Ｈ型材、Ｔ型材のいずれで形成してもよく、また、板金の折り曲げ加工等により、長さ方向と直角をなす幅方向の途中部に戸袋の内側と外側のうちの少なくとも一方へ屈曲突出した屈曲突出部を有しているものとしてもよい。
【００２２】
また、第１下地部材と第２下地部材に外面形成部材を固定するためのフランジ部を設ける場合には、これらのフランジ部に外面形成部材を固定するための固定手段を予め設けておいてもよい。
【００２３】
これによると、外面形成部材をこれらの下地部材に固定する作業を迅速に行える。
【００２４】
フランジ部に予め設けておく固定手段の一例は両面粘着テープであり、この他に、固定手段は、外面形成部材を押し付けると外面形成部材に突き刺さる針状部材でもよく、外面形成部材を係止するフック部材等でもよい。
【００２５】
なお、予め設ける固定手段は外面形成部材に設けてもよく、また、下地部材と外面形成部材の両方に設けてもよい。
【００２６】
以上において、戸袋の外面を形成する外面形成部材は、戸袋の内外方向において１枚だけでもよく、複数枚でもよい。
【００２７】
外面形成部材を戸袋の内外方向において複数枚とする場合には、これまで説明した外面形成部材を内側外面形成部材とし、この内側外面形成部材の外側に外側外面形成部材を配置し、この外側外面形成部材を、内側外面形成部材と下地部材の両方を覆う大きさを有するものとしてもよい。
【００２８】
これによると、内側外面形成部材によって戸袋の外面の全部を覆うことができず、部分的に下地部材が露出する構造になっても、この下地部材を外側下地部材で覆うことができ、戸袋を所定の外観に仕上ることができる。
【００２９】
以上の本発明に係る引戸装置の戸袋は、壁の内部に設けられるタイプのものでもよく、壁等とは別になっていて外部に表われた露出タイプのものでもよい。
【００３０】
また、戸袋は引戸本体の一方と他方の両方の面を覆う袋状のものでもよく、引戸本体の一方の面だけを覆う片側式のものでもよい。
【００３１】
また、以上の本発明は各種構造、形式の引戸装置に適用でき、その一例は、引戸本体が上部に配置されたガイド部材から吊り下げられ、このガイド部材が戸袋の内部まで延びている上吊り式引戸装置である。また、他の例は、引戸本体が下部に施設されたガイドレールに案内されて移動する引戸装置である。
【００３２】
前者の引戸装置において、ガイド部材はガイドレールでもよく、スライディングレールでもよい。
【００３３】
また、前者及び後者の引戸装置において、引戸本体の移動は人手操作によって行われてもよく、駆動装置によって行われてもよい。また、この駆動装置は、引戸本体の閉じ移動と開き移動の両方を自動的に行うものでもよく、これらのいずれか一方を自動的に行い、他方を人手操作で行うものでもよい。
【００３４】
この駆動装置の駆動原理は任意なものでよく、例えば、蓄圧されたばね力によって引戸本体を引っ張り移動させる渦巻きばね式のものでもよく、シリンダで引戸本体を移動させるシリンダ式のものでもよく、モータで回転するピニオンで引戸本体を移動させるモータ式のものでもよく、電磁石の吸引力、反発力で引戸本体を移動させるリニアモータ式のもの等でもよい。
【００３５】
また、駆動装置はガイド部材等の不動部材側に取り付けてもよく、移動する引戸本体等の移動体側に取り付けてもよい。
【００３６】
また、本発明は、引戸本体の移動が引戸本体の自重で自動的になされるように、上記ガイド部材が引戸本体の閉じ側又は開き側に下り傾斜で固定的に配置され、又は閉じ側と開き側に傾斜方向が可変に配置された引戸装置にも適用できる。この場合におけるガイド部材は、引戸本体の移動方向へ連続した１本のものでもよく、途中で分割されて複数本となったものでもよい。
【００３７】
さらに、本発明が適用される引戸装置は、引戸本体が１個のものでもよく、複数個のものでもよい。引戸装置が複数個の引戸本体を備えている場合において、これらの引戸本体は引き分け式となっていてもよく、引き違い式になっていてもよく、これら両方のものが組み合わせられたものでもよく、さらには、引戸本体が戸袋を間に挟んでその両側に配置された引戸装置にも本発明を適用できる。
【００３８】
このように、複数個の引戸本体を備えた引戸装置に本発明を適用するとき、その戸袋は１個の引戸本体を収納するためのものでもよく、複数個の引戸本体を収納するためのものでもよい。
【００３９】
【発明の実施の形態】
以下に本発明の実施形態を図面に基づいて説明する。初めに、本実施形態に係る引戸装置の全体を説明する。
【００４０】
図１は、本実施形態に係る引戸装置の全体を示す正面図である。この引戸装置は、建物内の廊下と部屋との間を開閉自在に仕切るための室内用仕切り手段として設置され、引戸本体１は把持部１Ａを把持することにより左右動させることができ、左右動すると引戸本体１は、無目２と引戸本体戸先側の縦枠３と壁４と床５とに囲まれて形成されている出入口用の開口部６を開閉し、この開口部６を開いたときの引戸本体１の大部分は壁４の内部に形成されている戸袋７に収納される。すなわち、本実施形態に係る引戸装置は、開口部６を開いたときの引戸本体１が壁４の内部に収納される壁収納式の引戸装置になっている。
【００４１】
また、引戸装置の外枠組み体の基本構造は、無目２と、引戸本体戸先側の縦枠３と、引戸本体戸尻側の縦枠８とで形成され、この引戸本体戸尻側の縦枠８により戸袋７の終端部が形成されている。
【００４２】
無目２は、無目本体２Ａと、この無目本体２Ａに止めねじ等の止め具で取り付け、取り外し自在になっていて、無目本体２Ａに対して開閉自在になっている点検用カバー２Ｂとからなる。無目本体２Ａは、図１のＳ５―Ｓ５線断面図である図５に示されているように、戸袋７まで延びる長さを有し、点検用カバー２Ｂは、無目本体２Ａの全長のうち、開口部６の上部に相当する位置だけに設けられている。
【００４３】
図２及び図３には、引戸本体１を移動させるために無目本体２Ａ及び壁４の内部に配置された移動機構が示されている。図２は、この移動機構によって引戸本体１が閉じ限位置に達しているときを示し、図３は、引戸本体１が開き限位置に達しているときを示す。
【００４４】
図２に示すように、無目本体２Ａの内部には引戸本体１の移動を案内するためのガイド部材であるガイドレール１０が組み込まれ、上記移動機構を形成する部材であって、無目本体２Ａの略全長に亘る長さを有するこのガイドレール１０は、図１のＳ４―Ｓ４線断面図である図４に示すとおり、無目本体２Ａの内部に設けられている取付部材１１に取り付けられ、戸袋７の内部まで延びている。同一断面形状が長さ方向に連続しているこのガイドレール１０は、取付部材１１に取り付けられた基部１０Ａと、この基部１０Ａの下端から引戸本体１の厚さ方向に水平に延びるアーム部１０Ｂと、このアーム部１０Ｂの先端から垂直に立ち上がった係合部１０Ｃとを有する。
【００４５】
図２で示すように、引戸本体１には、ローラブラケット１３，１４に回転自在に取り付けられた２個のローラ１５，１６が引戸本体１の移動方向に配設され、ローラブラケット１３，１４を介して引戸本体１の上部に配置されているこれらのローラ１５，１６は、図４に示すように、引戸本体１の上方に不動部材となって水平に架設されているガイドレール１０の係合部１０Ｃに係合している。このため、引戸本体１は、ローラ１５，１６が係合部１０Ｃ上を転動することによりガイドレール１０に沿って移動するとともに、引戸本体１は、ガイドレール１０の係合部１０Ｃにローラ１５，１６及びローラブラケット１３，１４を介して吊り下げられた上吊り式となっている。
【００４６】
また、図１に示すように、戸袋７に近い開口部６の床５には、垂直軸を中心に回転自在となったガイドローラ１７が配置され、このガイドローラ１７は、図４に示すとおり、引戸本体１の下端に下向きに開口して配置されているチャンネル部材１Ｂの内部に挿入されており、ガイドレール１０に沿った引戸本体１の移動は、引戸本体１の下端がこのガイドローラ１７で案内されながらなされる。
【００４７】
図２に示されているように、ガイドレール１０の引戸本体開き側の端部には、引戸本体１を開き限位置に停止させるためのストップ装置２０が取り付けられ、このストップ装置２０は、引戸本体閉じ側に向けて本体２１に突設されたゴム等の弾性材料からなるストップ部材２２と、本体２１に取り付けられた小径ローラによる被係止部材２３とを有する。一方、引戸本体１に設けられている２個のローラブラケット１３，１４のうち、引戸本体開き側のローラブラケット１４の後端には板状の受け部材２４が結合され、この受け部材２４には板ばねの折り曲げで形成されている係止部材２５が取り付けられている。
【００４８】
引戸本体１を前記把持部１Ａで開き側に移動させ、この移動が開き限位置に達すると、図３に示されているように、被係止部材２３には、一旦上向きに湾曲変形してもとの形状に弾性復帰する係止部材２５が係止するとともに、受け部材２４はストップ部材２２に当接し、これにより引戸本体１は開き限位置に停止する。
【００４９】
また、引戸本体１の把持部１Ａに引戸本体閉じ側への操作力を作用させた場合には、被係止部材２３から上向きに弾性変形する係止部材２５が離脱するため、引戸本体１はガイドレール１０とガイドローラ１７に案内されて閉じ側へ移動する。
【００５０】
また、図２及び図３に示されているように、引戸本体１に設けられている２個のローラブラケット１３，１４のうち、引戸本体閉じ側のローラブラケット１３には、引戸本体１を閉じ移動させるための駆動装置３０のケーシング３０Ａがブラケット３１で取り付けられている。駆動装置３０はケーシング３０Ａ内に回転自在に収納されたリール３３を有し、このリール３３の内部には渦巻きばねが配置され、この渦巻きばねの一端はリール３３に結合されているとともに、他端はケーシング３０Ａに結合されている。
【００５１】
また、リール３３には、図２及び図３で示されているナイロン紐又はワイヤー等からなる紐状部材３４が巻かれているとともに、この紐状部材３４の一端が結合されている。この紐状部材３４はケーシング３０Ａから導出され、紐状部材３４の他端は、不動部材であって前述した外枠組み体を形成している縦枠３に設けられたフック部材３５に係止されている。
【００５２】
図２で示すように閉じ限位置に達している引戸本体１を把持部１Ａで図３に示すように開き側へ移動させたときには、紐状部材３４がリール３３を回転させながら駆動装置３０のケーシング３０Ａから繰り出され、このとき、リール３３の内部の上記渦巻きばねがリール３３の回転で蓄圧されるようになっている。このため、この後に把持部１Ａから手を離すと（引戸本体１が図３のように閉じ限位置に達しているときには、前述のように、把持部１Ａに操作力を作用させて被係止部材２３から係止部材２５を離脱させると）、渦巻きばねの蓄圧力によってリール３３には、引戸本体１の開き移動時とは逆方向へ引戸本体１を移動させようとする回転力が生じているため、この回転力で緊張している紐状部材３４の引張力によって引戸本体１は閉じ側へ引っ張られ、リール３３が回転して紐状部材３４を巻き取ることにより、引戸本体１は閉じ限位置まで自動的に移動する。
【００５３】
したがって、本実施形態における引戸本体１を閉じ側へ自動的に移動させるための駆動装置３０は渦巻きばね式であるとともに、紐状部材３４の引張力による引張式駆動装置となっている。
【００５４】
図２及び図３に示すように、ガイドレール１０には、閉じ側への引戸本体１の移動速度を低速化させて制動させ、引戸本体１を閉じ限位置に減速させて到達させるための制動装置４０が取り付けられている。この制動装置４０は、シリンダ本体４１と、シリンダ本体４１にガイドレール１０の長さ方向に伸縮自在に挿入されたピストンロッド４２とを有するシリンダ装置で構成され、シリンダ本体４１は、不動部材となっているガイドレール１０に取り付けられている。
【００５５】
図２及び図３で示すように、引戸本体１に２個設けられているローラブラケット１３，１４のうち、引戸本体開き側のローラブラケット１４には、ピストンロッド４２の先端部が挿抜自在となったキャッチ部材４４が取り付けられ、ピストンロッド４２の先端部と、この先端部が挿入されるキャッチ部材４４の内部とのうち、一方には磁石が設けられ、他方にはこの磁石に吸着する磁性材料が設けられている。このため、ピストンロッド４２とキャッチ部材４４とは、磁力で接続分離自在となっている。
【００５６】
図２に示すように引戸本体１が閉じ限位置に達しているときには、シリンダ本体４１に対して収縮しているピストンロッド４２の先端部がキャッチ部材４４の内部に挿入された状態になっており、引戸本体１を開き側へ移動させると、ピストンロッド４２の先端部とキャッチ部材４４とが上記磁力で接続されているため、ピストンロッド４２はシリンダ本体４１に対して伸び作動する。このピストンロッド４２が伸び作動限に達してもさらに引戸本体１が開き側に移動すると、図３に示すように、ピストンロッド４２とキャッチ部材４４とが分離し、ピストンロッド４２はその位置で停止する。また、引戸本体１が前記引張式駆動装置３０の駆動力で閉じ側へ移動し始め、そして引戸本体１が所定位置に達すると、キャッチ部材４４はピストンロッド４２に当接してこれらのキャッチ部材４４とピストンロッド４２とが上記磁力で再度接続され、引戸本体１がさらに閉じ側へ移動することにより、ピストンロッド４２はシリンダ本体４１に対して収縮作動する。
【００５７】
なお、ピストンロッド４２の先端部と、この先端部が挿入されるキャッチ部材４４の内部とに互いに磁性が逆となった磁石を設けることにより、ピストンロッド４２とキャッチ部材４４とを上記と同様に接続分離自在としてよい。
【００５８】
シリンダ本体４１には、ピストンロッド４２が伸び作動したときに多量のエアをシリンダ本体４１の内部に吸引し、ピストンロッド４２が収縮作動したときにはこのエアを絞りながら排出するバルブが設けられている。このため、ピストンロッド４２が伸び作動する引戸本体１の開き移動時には、引戸本体１を軽く移動させることができ、また、ピストンロッド４２が収縮作動する引戸本体１の閉じ移動時には、引戸本体１がシリンダ本体４１の内部のエア圧力によって制動されながら移動し、減速された速度で閉じ限位置に達するようになっている。
【００５９】
図１で示すように、戸袋７の部分には、横方向（戸袋７の幅方向であって、引戸本体１の移動方向）に細長い下地部材５０が配置され、細長状部材となっているこの下地部材５０は、上下方向に間隔を開けて複数設けられている。これらの下地部材５０は、戸袋７の幅方向両端部まで達する同じ長さを有しているが、本実施形態に係る戸袋７には、図５に示されているように、上下寸法が異なる４種類の下地部材５０Ａ，５０Ｂ，５０Ｃ，５０Ｄが用いられている。
【００６０】
すなわち、戸袋７の両方の面において、最下段の下地部材５０は上下寸法が最も大きい下地部材５０Ａであり、最下段から２段目と３段目の下地部材５０は上下寸法が最も小さい下地部材５０Ｄである。下地部材５０Ａ同士、最下段から２段目の下地部材５０Ｄ同士、最下段から３段目の下地部材５０Ｄ同士は、それぞれ同じ高さ位置に配置されている。図５における右側の最上段の下地部材５０、言い替えると、図１で示された側の最上段の下地部材５０は、上下寸法が３番目に大きい下地部材５０Ｃであり、図５における左側の最上段の下地部材５０は、上下寸法が２番目に大きい下地部材５０Ｂである。
【００６１】
これらの下地部材５０は金属板の折り曲げで形成されており、下地部材５０の全体斜視図である図９で示すとおり、長さ方向と直角をなす幅方向の途中部、すなわち、上下方向の途中部には、下地部材５０の厚さ方向に屈曲突出しかつ下地部材５０の長さ方向へ連続して延びている屈曲突出部５１が形成されており、この突出方向は戸袋７の外側である。このように、それぞれの下地部材５０は戸袋７の外側へ屈曲した部分を有する屈曲部付き部材となっており、これらの下地部材５０は、上下の幅狭のフランジ部５２から屈曲突出部５１の屈曲部５１Ａが直角又は略直角に折り曲げられたものとなっている。
【００６２】
図１のＳ８−Ｓ８線断面図である図８に示すように、戸袋７の引戸本体閉じ側端部には見切り材としての竪額縁９が設けられ、この竪額縁９には戸袋７の内側において引戸本体開き側へ延びる延出部９Ａが設けられている。また、竪額縁９には補助部材５３が取り付けられ、アングル材からなるこの補助部材５３には、戸袋７の内外方向への間隔を開けて延出部９Ａと平行に引戸本体開き側へ延びる延出部５３Ａが設けられている。これらの延出部９Ａと５３Ａとの間にそれぞれの下地部材５０の一方の端部が挿入され、これらの端部はドリルねじ等の止着具５４で補助部材５３に止められており、また、それぞれの下地部材５０の他方の端部は前述した戸尻側の縦枠８にドリルねじ等の止着具５４で止められている。
【００６３】
図５に示すように、内部が戸袋７となっている壁４の外面は内外２枚の外面形成部材５５，５６で形成され、石膏ボード製であるこれらの外面形成部材５５，５６のうち、内側の外面形成部材５５は、上下に間隔を開けて平行に配設されている下地部材５０同士の間に複数組み込まれている。これらの外面形成部材５５の厚さは下地部材５０の図９で示した屈曲部５１Ａの幅寸法Ｗと対応しており、下地部材５０同士の間に配置されているそれぞれの外面形成部材５５は、上下端部が下地部材５０のフランジ部５２に押し当てられている。図９に示すとおり、これらのフランジ部５２には両面粘着テープ５７が予め取り付けられているため、外面形成部材５５はこれらの両面粘着テープ５７で下地部材５０に固定されている。
【００６４】
図７は図５の一部拡大図であり、最下段の下地部材５０Ａにおける両方のフランジ部５２に、この下地部材５０Ａの上下に配置されている外面形成部材５５が両面粘着テープ５７で固定されており、この下地部材５０Ａ以外の下地部材５０についても、これと同様に外面形成部材５５がフランジ部５２に両面粘着テープ５７で固定されている。
【００６５】
また、それぞれの外面形成部材５５の前記開口部６側の端部は、図８で示した竪額縁９の延出部９Ａと補助部材５３の延出部５３Ａとの間に挿入されている。
【００６６】
図６は図５で示された戸袋７の下部の拡大図であり、戸袋７の下部には内外二重の幅木５８，５９が配置され、内側の幅木５８の両端立上部５８Ａと外側の幅木５９の両端立上部５９Ａとの間に最下段の外面形成部材５５の下端部が挿入されている。
【００６７】
以上のように配置された内側の外面形成部材５５の外側に大面積を有する外側外面形成部材５６が配置され、この外面形成部材５６は、下地部材５０の屈曲突出部５１、補助部材５３の延出部５３Ａ、外側の幅木５９の両端立上部５９Ａにステープル等の止着具で結合されている。このように外面形成部材５６が止着具で結合されたとき、前記Ｗと内側の外面形成部材５５の厚さとの関係から、内側の外面形成部材５５と外側の外面形成部材５６は密着又は略密着している。また、この外面形成部材５６は、戸袋７から外れた位置の壁の外面と連続するものであり、外面形成部材５６にビニルクロス等の化粧部材が被せられることにより、戸袋７の部分を含めた壁４が仕上られている。
【００６８】
以上説明したとおりの構造になっている戸袋７の現場施工作業は、次ぎのように行われる。
【００６９】
施工現場において、先ず無目本体２Ａ、縦枠３，８、補助部材５３を備えた竪額縁９のそれぞれの組み付けを行い、さらに、床５への幅木５８，５９の取り付けを行う。この後、内側の外面形成部材５５のうち、最下段の外面形成部材５５を、その開口部６側の端部を竪額縁９の延出部９Ａと補助部材５３の延出部５３Ａとの間に挿入しながら、内外の幅木５８，５９における立上部５８Ａと５９Ａとの間に落とし込み挿入する。
【００７０】
次いで、下地部材５０のうち、最下段の下地部材５０Ａを、その開口部６側の端部を竪額縁９の延出部９Ａと補助部材５３の延出部５３Ａとの間に挿入しながら、竪額縁９と縦枠８との間に架け渡して所定の高さ位置とした後、図８で示した止着具５４で補助部材５３、縦枠８に結合する。このときには、この下地部材５０Ａの上下のフランジ部５２に、引戸装置を生産した工場等で予め両面粘着テープ５７がその裏面の粘着剤で取り付けられているとともに、引戸装置の施工現場への搬入後であって外面形成部材５５の取り付け時には両面粘着テープ５７の表面からは剥離紙が剥がされているため、最下段の外面形成部材５５の上部を下地部材５０Ａの下方へ延びているフランジ部５２に押し付けることにより、この外面形成部材５５は下地部材５０Ａに両面粘着テープ５７で固定される。
【００７１】
次いで、最下段から２段目の外面形成部材５５を持ち上げることにより、この外面形成部材５５の開口部６側の端部を竪額縁９の延出部９Ａと補助部材５３の延出部５３Ａとの間に挿入しながら、外面形成部材５５を図７で示されている下地部材５０Ａにおける上側の屈曲部５１Ａの上面Ａに載せる。この後、この外面形成部材５５の下部を下地部材５０Ａの上方へ延びているフランジ部５２に押し付け、これにより、このフランジ部５２に取り付けられている両面粘着テープ５７で外面形成部材５５の下部を下地部材５０Ａに固定する。
【００７２】
このため、最下段から２段目の外面形成部材５５は、下地部材５０Ａの上側の屈曲部５１Ａの上面Ａに一旦載せられてから、この下地部材５０Ａに固定されることになり、作業者は、外面形成部材５５を保持しながらこの外面形成部材５５を下地部材５０Ａに固定する作業を行う必要がない。
【００７３】
この後、最下段から２段目の下地部材５０Ｄを、その開口部６側の端部を竪額縁９の延出部９Ａと補助部材５３の延出部５３Ａとの間に挿入しながら、竪額縁９と縦枠８との間に架け渡して所定の高さ位置とした後、図８で示した止着具５４で補助部材５３、縦枠８に結合する。このときにも、この下地部材５０Ｄの上下のフランジ部５２に予め両面粘着テープ５７がその裏面の粘着剤で取り付けられているとともに、引戸装置の施工現場への搬入後であって外面形成部材５５の取り付け時には両面粘着テープ５７の表面からは剥離紙が剥がされており、最下段から２段目の外面形成部材５５の上部を下地部材５０Ｄの下方へ延びているフランジ部５２に押し付けることにより、この外面形成部材５５を両面粘着テープ５７で下地部材５０Ｄに固定する。
【００７４】
これにより、最下段から２段目の外面形成部材５５は、上下の間隔を開けて配置された下地部材５０Ａと５０Ｄとに固定されたことになる。
【００７５】
これ以後、以上説明した作業を他の下地部材５０、外面形成部材５５のそれぞれについて順次行い、それぞれの下地部材５０と外面形成部材５５を下から順番に積み上げ方式で配置、固定していく。
【００７６】
この後、全部の下地部材５０と外面形成部材５５の外側に前述した大面積の外側外面形成部材６６を配置する作業を行い、さらに、この外側外面形成部材５６の表面にビニルクロス等の化粧部材が被せられることにより戸袋７が仕上られる。
【００７７】
なお、それぞれの下地部材５０と内側外面形成部材５５を前述の順番で配置、固定していくのではなく、先に全部の下地部材５０をそれぞれ所定高さ位置に取り付け、この後、それぞれの下地部材５０における上側の屈曲部５１Ａの上面Ａにそれぞれの外面形成部材５５を載せ、そして、これらの外面形成部材５５の上下部を下地部材５０の上下のフランジ部５２に押し付けることにより、両面粘着テープ５７で外面形成部材５５を下地部材５０に固定するようにしてもよい。
【００７８】
以上説明した本実施形態によると、戸袋７の内側外面形成部材５５を取り付けるための部材であって戸袋７の骨組み材ともなっている下地部材５０は、平坦な平面部材となっておらず、戸袋７の外側へ屈曲しかつ横方向へ延びる屈曲部５１Ａを備えた屈曲部付き部材となっているため、下地部材５０に外面形成部材５５を取り付ける作業を行うときは、上下の屈曲部５１Ａのうちの上側の屈曲部５１Ａの上面Ａに外面形成部材５５を一旦載せた後に、この外面形成部材５５を下地部材５０に固定すればよく、作業者は外面形成部材５５を保持しながら下地部材５０に固定する作業を行う必要はない。
【００７９】
言い替えると、上側の屈曲部５１Ａの上面Ａは外面形成部材５５を載せるための載せ部となっており、この載せ部Ａで外面形成部材５５を受けた後、外面形成部材５５を下地部材５０に固定する作業を行えばよいため、作業を容易に行え、作業効率を向上させることができる。
【００８０】
また、下地部材５０を屈曲部５１Ａを備えた屈曲部付き部材とすることにより、下地部材５０自身の強度を向上させることができ、戸袋７の骨組み部材となっているこの下地部材５０によって戸袋７の強度を大きくできる。
【００８１】
また、上側の屈曲部５１Ａの上部は上方へ延びるフランジ部５２となっているため、外面形成部材５５をこのフランジ部５２に固定することができ、下地部材５０の形状設定により、下地部材５０に、外面形成部材５５を載せるための部分と、外面形成部材５５を固定するための部分との両方を設けることができる。
【００８２】
さらに本実施形態によると、下地部材５０を横方向を長さ方向とする細長状部材としても、下側の下地部材５０の上方に間隔を開けて上側の下地部材５０を配置し、下側の下地部材５０における上側の屈曲部５１Ａの上部を上方へ延びるフランジ部５２とし、上側の下地部材５０における下側の屈曲部５１Ａの下部を下方へ延びるフランジ部５２としているため、これらの下地部材５０の間に配置された外面形成部材５５の上下部をこれらの下地部材５０のフランジ部５２に固定することができる。
【００８３】
また、下地部材５０のフランジ部５２には、フランジ部５２に外面形成部材５５を固定するための固定手段である両面粘着テープ５７が予め設けられているため、外面形成部材５５を下地部材５０の載せ部Ａに載せた後、外面形成部材５５の押し付けによって直ちに外面形成部材５５をフランジ部５２に固定することができ、この点でも作業効率を向上させることができる。
【００８４】
さらに、下地部材５０に、外面形成部材５５の固定後も上下の下地部材５０の間から露出する屈曲突出部５１が設けられていても、下地部材５０及び外面形成部材５５の外側には、これらの下地部材５０と外面形成部材５５を覆う大きさの外側外面形成部材５６が配置されるため、戸袋７を所定の外観を有するものとして仕上ることができる。
【００８５】
【発明の効果】
本発明によると、戸袋を形成する外面形成部材を下地部材に取り付けるための作業を容易に行え、作業効率の向上を図ることができるという効果を得られる。
【図面の簡単な説明】
【図１】本発明の一実施形態に係る引戸装置の全体を示す正面図である。
【図２】引戸本体を移動させるための移動機構を示す図であって、引戸本体が閉じ限位置に達しているときを示す図である。
【図３】引戸本体を移動させるための移動機構を示す図であって、引戸本体が開き限位置に達しているときを示す図である。
【図４】図１のＳ４―Ｓ４線断面図である。
【図５】図１のＳ５―Ｓ５線断面図である。
【図６】図５で示された戸袋の下部の拡大図である。
【図７】下地部材の部分を示す図５の一部拡大図である。
【図８】図１のＳ８―Ｓ８線断面図である。
【図９】下地部材の全体斜視図である。
【符号の説明】
１  引戸本体
４  壁
６  開口部
７  戸袋
５０，５０Ａ，５０Ｂ，５０Ｃ，５０Ｄ  下地部材
５１Ａ  屈曲部
５２  フランジ部
５５  内側外面形成部材
５６  外側外面形成部材
５７  固定手段である両面粘着テープ
Ａ  受け部である載せ部
【図１】
0004749578.tif 000002
【図２】
0004749578.tif 000003
【図３】
0004749578.tif 000004
【図４】
0004749578.tif 000005
【図５】
0004749578.tif 000006
【図６】
0004749578.tif 000007
【図７】
0004749578.tif 000008
【図８】
0004749578.tif 000009
【図９】
0004749578.tif 000010